【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
第１装置及び第２装置を含む運搬手段において、能動ネットワークが第１装置と第２装置を通信可能に接続し、
該能動ネットワークは、第１装置と第２装置との間に多重通信路を提供するための複数の接続された能動ネットワーク要素を含む、
運搬手段。
【請求項２】
請求項１に記載の運搬手段であって、
前記能動ネットワークには、能動ネットワーク要素の基本構造が含まれ、
第１及び第２装置は、前記基本構造に接続する、
運搬手段。
【請求項３】
請求項１に記載の運搬手段であって、
前記能動ネットワークには、パケットデータ網が含まれる運搬手段。
【請求項４】
請求項１に記載の運搬手段であって、
前記能動ネットワークは、インターネットプロトコル標準に準拠する運搬手段。
【請求項５】
請求項１に記載の運搬手段であって、
前記能動ネットワークは、非同期転送モードプロトコルに準拠する運搬手段。
【請求項６】
請求項１に記載の運搬手段であって、
少なくとも１つの能動ネットワーク要素が、スイッチを含む運搬手段。
【請求項７】
請求項１に記載の運搬手段であって、
少なくとも１つの能動ネットワーク要素が、ブリッジを含む運搬手段。
【請求項８】
請求項１に記載の運搬手段であって、
少なくとも１つの能動ネットワーク要素が、ルータを含む運搬手段。
【請求項９】
請求項１に記載の運搬手段であって、
前記能動ネットワーク要素の一部は、電子的にリンクされている運搬手段。
【請求項１０】
請求項１に記載の運搬手段であって、
前記能動ネットワーク要素の一部は、光学的にリンクされている運搬手段。
【請求項１１】
請求項１に記載の運搬手段であって、
前記能動ネットワーク要素の一部は、無線周波数によってリンクされている運搬手段。
【請求項１２】
請求項１に記載の運搬手段であって、
前記能動ネットワーク要素の一部は、有界媒体によってリンクされている運搬手段。
【請求項１３】
請求項１に記載の運搬手段であって、
前記能動ネットワーク要素の一部は、非有界媒体によってリンクされている運搬手段。
【請求項１４】
請求項１に記載の運搬手段であって、
第１装置は、前記能動ネットワークを介して通信されるデータを生成し、
第１装置の動作は、前記データを通信するための前記能動ネットワークへの第１装置のインターフェースとは独立している、
運搬手段。
【請求項１５】
請求項１に記載の運搬手段であって、
第２装置は、前記能動ネットワークを介して受信されたデータを利用し、
第２装置の動作は、前記データを受信するための前記能動ネットワークへの第２装置のインターフェースとは独立している、
運搬手段。
【請求項１６】
請求項１に記載の能動ネットワークであって、
前記能動ネットワークは、第１装置と第２装置との間に多重同時通信路をサポートする能動ネットワーク。
【請求項１７】
請求項１に記載の能動ネットワークであって、更に、
第１装置と第２装置を、それぞれ前記能動ネットワークに接続するための第１装置と第２装置各々へのデータインターフェースであって、それぞれの装置の機能とは独立して、それぞれの装置からデータを受信するために又はそれぞれの装置へデータを送信するために動作する前記データインターフェースと、
複数の通信路を介して前記インターフェースを通信可能に接続するデータ伝送媒体と、が含まれる能動ネットワーク。
【請求項１８】
請求項１に記載の能動ネットワークであって、
前記能動ネットワークの全通信機能の一部分が、第１装置のために予約される能動ネットワーク。
【請求項１９】
請求項１８に記載の能動ネットワークであって、
前記部分は、前記能動ネットワークの状態に応じて、再構成可能である能動ネットワーク。
【請求項２０】
請求項１に記載の能動ネットワークであって、
前記能動ネットワーク要素は、第１装置と第２装置との間に複数の通信路を提供するための接続媒体で構成可能である能動ネットワーク。
【請求項２１】
請求項１に記載の能動ネットワークであって、
第１装置は、前記能動ネットワークに接続する第１通信情報を有し、また、前記能動ネットワークに接続する第２通信情報を有する、能動ネットワーク。
【請求項２２】
請求項１に記載の能動ネットワークであって、
前記能動ネットワークは、前記データを暗号化するように動作可能である能動ネットワーク。
【請求項２３】
請求項１に記載の能動ネットワークであって、
第１装置は、運搬手段に関連する機能を果たし、また、前記能動ネットワークの一部を形成する装置ネットワーク要素を含む、能動ネットワーク。
【請求項２４】
請求項１に記載の能動ネットワークであって、
前記能動ネットワークは、コア部と周辺部を含み、前記周辺部は、前記コア部に接続され、第１装置及び第２装置は、前記周辺部に接続される、能動ネットワーク。
【請求項２５】
請求項２４に記載の能動ネットワークであって、
前記コア部は、通信ネットワークバックボーン構造を含む能動ネットワーク。
【請求項２６】
請求項２４に記載の能動ネットワークであって、
前記コア部は、第１データレート機能を有し、前記周辺部は、第１データレート機能とは異なる第２データレート機能を有する、能動ネットワーク。
【請求項２７】
請求項１に記載の能動ネットワークであって、
前記通信路の１つが、ループを含む能動ネットワーク。
【請求項２８】
請求項１に記載の能動ネットワークであって、
前記能動ネットワークは、第１装置と第２装置との間のデータ通信のためにデータパケットを用い、前記データパケットは、ヘッダ部、データ部、トレーラ部、及び能動部を含む、能動ネットワーク。
【請求項２９】
請求項１に記載の能動ネットワークであって、
前記能動ネットワークは、第１運搬手段の第１運搬手段能動ネットワークであり、
第１運搬手段能動ネットワークは、第２運搬手段の第２運搬手段能動ネットワークに通信可能に接続され、第１装置と、第２運搬手段能動ネットワークに通信可能に接続された第３装置との間で通信を行なう、
能動ネットワーク。
【請求項３０】
請求項２９に記載の能動ネットワークであって、
第１装置と第３装置との間での前記通信には、第１運搬手段能動ネットワークと第２運搬手段能動ネットワークとの間の通信が含まれる能動ネットワーク。
【請求項３１】
請求項１に記載の能動ネットワークであって、
前記能動ネットワーク要素の１つが、第１装置から第２装置への通信用データを取得し、前記データを複製して前記データの第１表示及び第２表示を提供し、第１表示の通信を行なうために第１装置と第２装置との間の第１通信路を特定し、第２表示の通信を行なうために第１装置と第２装置との間の第２通信路を特定する、
能動ネットワーク。
【請求項３２】
請求項１に記載の能動ネットワークであって、更に、
第１装置を前記能動ネットワークに接続するデータインターフェースを含み、
前記データインターフェースは、第１装置から第２装置への通信用データを取得し、前記データを複製して前記データの第１表示及び第２表示を提供し、第１表示の通信を行なうために第１装置と第２装置との間の第１通信路を特定し、第２表示の通信を行なうために第１装置と第２装置との間の第２通信路を特定する、
能動ネットワーク。
【請求項３３】
請求項１に記載の能動ネットワークであって、
前記能動ネットワークが、レガシー通信媒体に通信可能に接続されている能動ネットワーク。
【請求項３４】
請求項３３に記載の能動ネットワークであって、
前記レガシー通信媒体が、バスを含む能動ネットワーク。